(57)【要約】【課題】コネクタ嵌合時のがた詰めを行うことができ、さらにコネクタ離脱時の作業性を向上させる。【解決手段】第１ハウジング１０の突出部１７の基端部には、がた詰め部１８が設けられている。第２ハウジング６０には、がた詰め部１８に嵌合方向と交差する方向で当接可能な受け部７４と、第１、第２ハウジング１０、６０を嵌合状態に保持するロックアーム６２とが設けられている。ロックアーム６２には、嵌合状態にある第１、第２ハウジング１０、６０を離脱させる際に、このロックアーム６２がロック解除方向に撓み変形させられたときに、突出部１７の先端部を押圧することでがた詰め部１８が受け部７４から離間する方向に突出部１７を撓み変形させる押圧部６９が設けられている。【選択図】図２
2016085814.tif 000002
【特許請求の範囲】
【請求項１】
互いに嵌合可能な第１、第２ハウジングを備え、
前記第１ハウジングには、嵌合方向前方に突出する突出部が設けられ、前記突出部の基端部には、がた詰め部が設けられ、
前記第２ハウジングには、前記第１、第２ハウジングの嵌合時に前記がた詰め部に対して嵌合方向と交差する方向で当接する受け部と、前記第１、第２ハウジングの嵌合時に前記第１ハウジングの被ロック部を弾性的に係止することで前記第１、第２ハウジングを保持する撓み可能なロックアームとが設けられ、
前記ロックアームには、嵌合状態にある前記第１、第２ハウジングを離脱させる際に、このロックアームが前記被ロック部との係止を解除する方向に撓み変形させられたときに、前記突出部の先端部を押圧することで前記がた詰め部が前記受け部から離間する方向に前記突出部を撓み変形させる押圧部が設けられていることを特徴とするコネクタ。
【請求項２】
前記第２ハウジングには、前記第１、第２ハウジングの嵌合時に前記突出部が挿入されることで前記第１、第２ハウジング間の傾き嵌合を規制する挿入部が設けられていることを特徴とする請求項１記載のコネクタ。
【請求項３】
前記受け部が、前記ロックアームの基端部に設けられていることを特徴とする請求項１又は２記載のコネクタ。
【請求項４】
前記がた詰め部と前記受け部の相互の当接面が、前記第１、第２ハウジングが離脱する際に互いに当接し合う方向に傾斜して配置されていることを特徴とする請求項１ないし３のいずれか１項記載のコネクタ。
【発明の詳細な説明】
【技術分野】
【０００１】
本発明は、コネクタに関する。
【背景技術】
【０００２】
特許文献１に開示のコネクタは、互いに嵌合可能な雄コネクタ及び雌コネクタを備え、雄コネクタには、撓み可能なロックアームが設けられている。雄コネクタには、嵌合方向前方に突出するコジリ防止片が設けられ、雌コネクタには、ロックアームの基端部には、コジリ防止片の進入を許容する逃げ部が設けられている。両コネクタ（雄コネクタ及び雌コネクタ）の嵌合時にコジリ防止片が逃げ部に挿入されることにより、両コネクタ間の傾き嵌合が規制され、もって雄コネクタに装着された端子がコジリに起因して変形するのが防止されるようになっている。
【先行技術文献】
【特許文献】
【０００３】
【特許文献１】特開平９−１１５６０７号公報
【発明の概要】
【発明が解決しようとする課題】
【０００４】
上記従来のコネクタにおいて、例えば、雄コネクタに、がた詰め部を設け、雌コネクタに、両コネクタの嵌合時にがた詰め部に対して嵌合方向と交差する方向で当接する受け部を設けることにより、嵌合状態における両コネクタ間の隙間を埋めることができ、ひいては両コネクタが嵌合方向と交差する方向にがたつくのを抑えることができるようになる。しかし、仮に、このようながた詰め構造を設けると、嵌合状態にある両コネクタを離脱させる際にも、がた詰め部と受け部との強固な当接状態が維持されるため、両コネクタを引き離す作業に大きな力が必要となり、作業に難渋するおそれがある。
【０００５】
本発明は上記のような事情に基づいて完成されたものであって、コネクタ嵌合時のがた詰めを行うことができ、さらにコネクタ離脱時の作業性を向上させることを目的とする。
【課題を解決するための手段】
【０００６】
本発明のコネクタは、互いに嵌合可能な第１、第２ハウジングを備え、前記第１ハウジングには、嵌合方向前方に突出する突出部が設けられ、前記突出部の基端部には、がた詰め部が設けられ、前記第２ハウジングには、前記第１、第２ハウジングの嵌合時に前記がた詰め部に対して嵌合方向と交差する方向で当接する受け部と、前記第１、第２ハウジングの嵌合時に前記第１ハウジングの被ロック部を弾性的に係止することで前記第１、第２ハウジングを保持する撓み可能なロックアームとが設けられ、前記ロックアームには、嵌合状態にある前記第１、第２ハウジングを離脱させる際に、このロックアームが前記被ロック部との係止を解除する方向に撓み変形させられたときに、前記突出部の先端部を押圧することで前記がた詰め部が前記受け部から離間する方向に前記突出部を撓み変形させる押圧部が設けられているところに特徴を有する。
【発明の効果】
【０００７】
第１、第２ハウジングの嵌合時には、がた詰め部と受け部とが嵌合方向と交差する方向で互いに当接することにより、第１、第２ハウジング間の隙間を埋めることができ、第１、第２ハウジングが嵌合方向と交差する方向にがたつくのを抑えることができる。
【０００８】
一方、第１、第２ハウジングの離脱時には、ロックアームが被ロック部との係止を解除する方向に撓み変形させられることにより、ロックアームの押圧部が突出部を撓み変形させて、がた詰め部が受け部から離間する方向に変位可能となるため、がた詰め部と受け部との当接状態が解除又は緩和され、嵌合状態にある第１、第２ハウジングを容易に引き離すことができる。
【図面の簡単な説明】
【０００９】
【図１】本発明の実施例に係るコネクタにおいて、第１、第２ハウジングが正規嵌合された状態をあらわす断面図である。
【図２】嵌合状態にある第１、第２ハウジングを離脱させるに際し、ロックアームが被ロック部との係止を解除する方向に撓み変形させられた状態を示す断面図である。
【図３】第１端子金具が収容された第１ハウジングを上下方向に分断した斜視図である。
【図４】第２端子金具が収容された第２ハウジングを上下方向に分断した斜視図である。
【図５】第１ハウジングの斜視図である。
【図６】第２ハウジングの斜視図である。
【発明を実施するための形態】
【００１０】
本発明の好ましい実施形態を以下に示す。
前記第２ハウジングには、前記第１、第２ハウジングの嵌合時に前記突出部が挿入されることで前記第１、第２ハウジング間の傾き嵌合を規制する挿入部が設けられている。これによれば、突出部に、がた詰め機能と、第１、第２ハウジング間の傾き嵌合を規制する機能（こじり防止機能）とが集約して設けられることになるため、これら両機能が第１ハウジングの別々の部位に設けられるよりも、第１ハウジングの構成を簡素化することができる。
【００１１】
前記受け部が、前記ロックアームの基端部に設けられている。これによれば、ロックアームの撓み動作と受け部の変位動作とを連動させることができ、第１、第２ハウジングの離脱作業をより円滑に行うことができる。
【００１２】
前記がた詰め部と前記受け部の相互の当接面が、前記第１、第２ハウジングが離脱する際に互いに当接し合う方向に傾斜して配置されている。これによれば、第１、第２ハウジングの嵌合状態を安定に保持することができる。
【００１３】
＜実施例＞
以下、実施例を図面に基づいて説明する。本実施例のコネクタは、互いに嵌合可能な第１、第２ハウジング１０、６０を備えている。第１ハウジング１０には、第１端子金具５０が収容され、第２ハウジング６０には、第２端子金具９０が収容されている。なお、以下の説明において、前後方向については第１、第２ハウジング１０、６０が嵌合開始時に互いに向き合う面側を前側とする。上下方向（高さ方向）については各図を基準とする。
【００１４】
第１ハウジング１０は合成樹脂製であって、図３及び図５に示すように、略角ブロック状の第１ハウジング本体１１と、第１ハウジング本体１１の前方に一回り大きくなって突出する略角筒状のフード部１２と、第１ハウジング本体１１の前端上縁から立ち上がって上端がフード部１２の後端に連なる連結部１３とを有し、全体として上下方向に縦長の形態になっている。図１〜図３に示すように、第１ハウジング本体１１には、複数の第１キャビティ１４が前後方向に貫通して設けられている。各第１キャビティ１４には、後方から第１端子金具５０が挿入されて収容されるようになっている。そして、各第１キャビティ１４の下壁には、撓み可能な第１ランス１５が前方へ突出して設けられている。第１キャビティ１４に第１端子金具５０が正規挿入されると、第１ランス１５が第１端子金具５０を弾性的に係止して、第１端子金具５０を第１キャビティ１４内に抜け止めするようになっている。
【００１５】
第１端子金具５０は導電性の金属板を曲げ加工等して一体に成形され、図１〜図３に示すように、前方に突出するタブ部５１と、タブ部５１の後方に位置して電線５５の端末部に圧着により接続される第１バレル部５２とを有している。第１キャビティ１４に第１端子金具５０が正規挿入されると、タブ部５１がフード部１２内に突出して配置されるようになっている。
【００１６】
図５に示すように、フード部１２の上壁内面には、左右一対のガイド壁１６が垂下して設けられている。両ガイド壁１６は、前後方向に互いに平行に延出する板片状に形成され、後端が連結部１３の前面に一体に連結されている。第１、第２ハウジング１０、６０の嵌合時には、両ガイド壁１６が第２ハウジング６０の後述するガイド溝７８内に進入するようになっている。
【００１７】
また、図１〜図３及び図５に示すように、連結部１３には、その前面の幅方向略中央部からフード部１２内となる前方へ片持ち梁状に突出する突出部１７が設けられている。突出部１７は、板片状をなし、上下の両板面を幅方向に沿わせて形成されている。そして、突出部１７は、幅方向に関して両ガイド壁１６間に配置され（図５を参照）、上下方向に関して各第１端子金具５０のタブ部５１が突出する領域よりも上方に配置されている（図３を参照）。突出部１７の前端は、各第１端子金具５０のタブ部５１の前端よりも前方に位置している。かかる突出部１７は、連結部１３の前面に連結される基端（後端）を支点として上下方向に撓み変形可能とされている。
【００１８】
図１〜図３に示すように、突出部１７の基端部には、がた詰め部１８が上方に突出して設けられている。がた詰め部１８は、略扁平角柱状をなし、突出部１７の全幅に亘って形成されている（図５を参照）。図１及び図２に示すように、がた詰め部１８の上面は、前方へ向けて下り勾配で緩く傾斜する平坦な当接面１９とされている。連結部１３には、がた詰め部１８と対向する位置に、がた詰め部１８の後面を成形する図示しない金型の引き抜きに起因するスリット孔２１が貫通して設けられている。
【００１９】
また、図１〜図３に示すように、フード部１２の上壁には、突出部１７と対向する位置に、前後方向に延出して後端に開口する被ロック部２２が貫通して設けられている。図１に示すように、被ロック部２２の前端は、上方へ行くに従ってやや前傾する逆テーパ状をなし、ここに後述するロックアーム６２のロック突部６７が係止可能とされている。
【００２０】
第２ハウジング６０は合成樹脂製であって、図４及び図６に示すように、略角ブロック状の第２ハウジング本体６１と、第２ハウジング本体６１の上面に突出して設けられたロックアーム６２とを有し、全体として上下方向に縦長の形態になっている。この第２ハウジング６０は、図１に示すように、後端部を除いてフード部１２内に嵌合可能とされている。
【００２１】
図１及び図２に示すように、第２ハウジング本体６１には、第１ハウジング１０の各第１キャビティ１４と対応する位置に、複数の第２キャビティ６３が前後方向に貫通して設けられている。各第２キャビティ６３には、後方から第２端子金具９０が挿入されて収容されるようになっている。第２キャビティ６３の下壁には、撓み可能な第２ランス６４が前方へ突出して設けられている。第２キャビティ６３に第２端子金具９０が正規挿入されると、第２ランス６４が第２端子金具９０を弾性的に係止して、第２端子金具９０を第２キャビティ６３内に抜け止めするようになっている。
【００２２】
第２端子金具９０は導電性の金属板を曲げ加工等して一体に成形され、図１、図２及び図４に示すように、タブ部５１を受容可能な箱状の接続部９１と、接続部９１の後方に位置して電線９５の端末部に圧着により接続される第２バレル部９２とを有している。
【００２３】
図６に示すように、ロックアーム６２は、第２ハウジング本体６１の上面の前端部から立ち上がる支持部６５と、支持部６５の上端部から後方へ片持ち梁状に延出するアーム本体部６６とからなる。アーム本体部６６の前後方向途中には、ロック突部６７が上方へ突出して設けられている。図１に示すように、ロック突部６７の後面は、上方へ行くに従ってやや後傾する逆テーパ状をなしている。第１、第２ハウジング１０、６０の嵌合時には、支持部６５を支点としてアーム本体部６６が弾性的に傾動したあと弾性復帰して、ロック突部６７がフード部１２の被ロック部２２に嵌り込み、もって第１、第２ハウジング１０、６０が離脱規制された状態に保持されるようになっている。
【００２４】
図１、図２及び図６に示すように、アーム本体部６６の後端部には、操作部６８が一段高くなって設けられている。第１、第２ハウジング１０、６０の離脱時には、操作部６８が上方から押圧され、これによってアーム本体部６６が傾動させられ、ロック突部６７が被ロック部２２から抜け出ることにより、ロックアーム６２のロック状態が解除されるようになっている（図２を参照）。
【００２５】
アーム本体部６６の幅方向略中央部には、図１、図２及び図４に示すように、前後方向に関してロック突部６７の後端部と操作部６８との間に、押圧部６９が下方へ突出して設けられている。押圧部６９は、略角柱状をなし、図１に示すように、ロックアーム６２が自然状態にあるときに下面が前後方向にほぼ沿って配置されるようになっている。
【００２６】
図６に示すように、支持部６５の幅方向略中央部には、挿入部７１が前後方向に貫通して設けられている。図４に示すように、挿入部７１の下端部は、第２ハウジング本体６１の上面の幅方向略中央部を前後方向に延出して第２ハウジング本体６１の前面に開口する凹溝７２によって区画されている。凹溝７２の後端は、押圧部６９よりも後方に位置している。
【００２７】
また、図６に示すように、支持部６５には、挿入部７１の上端の幅方向略中央部と連通する副孔７３が貫通して設けられている。副孔７３は、押圧部６９と対向して配置され、押圧部６９の前面を成形する図示しない金型の引き抜きに起因して形成される。
【００２８】
さらに、図６に示すように、支持部６５には、副孔７３を挟んだ幅方向両側に、一対の受け部７４が設けられている。受け部７４は、前後方向に延出する略角柱状をなし、アーム本体部６６の前端部の下面に一体に連結されている。受け部７４の下面は、挿入部７１の上端を区画しており、図１及び図２に示すように、前方へ向けて上り勾配で緩く傾斜する平坦な当接面７５とされている。がた詰め部１８と受け部７４の両当接面１９、７５は、ロックアーム６２と突出部１７が自然状態にあるときに、互いにほぼ同一の傾斜角で傾斜して配置される（図１を参照）。なお、図６に示すように、アーム本体部６６の前端部の上面には、副孔７３と対向する位置に、凹所７６が設けられている。
【００２９】
また、図６に示すように、第２ハウジング本体６１の上面には、ロックアーム６２を挟んだ幅方向両側に、一対の保護壁７７が起立して設けられている。両保護壁７７は、ロックアーム６２の両側方を覆うように配置され、ロックアーム６２に外部異物が干渉しないようにロックアーム６２を保護する役割を担っている。ロックアーム６２の両側面と両保護壁７７との間には、前後方向に沿ったスリット溝状のガイド溝７８が形成されている。
【００３０】
次に、本実施例のコネクタの作用を説明する。
第１ハウジング１０の第１キャビティ１４に第１端子金具５０を挿入し、且つ、第２ハウジング６０の第２キャビティ６３に第２端子金具９０を挿入した状態で、第１、第２ハウジング１０、６０を互いに嵌合させる。第１、第２ハウジング１０、６０の嵌合過程では、突出部１７が挿入部７１内に嵌合状態で挿入されるとともに、両ガイド壁１６が対応するガイド溝７８に嵌合状態で挿入され、これにより、第１、第２ハウジング１０、６０間の傾き嵌合（第１、第２ハウジング１０、６０の一方が他方に対し正規の嵌合姿勢から傾いた状態で嵌合されること）が規制され、第１、第２ハウジング１０、６０の嵌合動作が円滑に進行する。したがって、第１、第２ハウジング１０、６０が傾いて嵌合されることに起因して第２端子金具９０のタブ部５１が第２ハウジング本体６１の前面に突き当たって変形するというこじり現象が生じるのを回避することができる。
【００３１】
また、第１、第２ハウジング１０、６０の嵌合過程では、ロック突部６７がフード部１２の上壁の前端と干渉することで、ロックアーム６２が支持部６５を支点として下方へ撓み変形させられる（図２を参照）。第１、第２ハウジング１０、６０が正規嵌合されると、ロックアーム６２が弾性復帰して、ロック突部６７が被ロック部２２に下方から嵌り込み、ロックアーム６２が被ロック部２２を弾性的に係止してロックがかかった状態となる（図１を参照）。こうして第１、第２ハウジング１０、６０が正規嵌合されて保持されることにより、第１、第２端子金具５０、９０が正規状態で電気的に接続される。
【００３２】
また、第１、第２ハウジング１０、６０が正規嵌合されるに伴い、がた詰め部１８と受け部７４の相互の当接面１９、７５が嵌合方向と交差する方向で互いに当接して配置される（図１を参照）。具体的には、がた詰め部１８と受け部７４の相互の当接面１９、７５が上下方向で当接し合うとともに、第１、第２ハウジング１０、６０の離脱方向で互いに当接し合うようにやや傾斜して配置される。このため、第１、第２ハウジング１０、６０が正規嵌合された状態では、第１、第２ハウジング１０、６０間の上下方向の隙間が埋められ、フード部１２内で第２ハウジング６０ががたつく等といった事態が発生するのを防止することができる。また、第１、第２ハウジング１０、６０の嵌合状態が安定して保持される。さらに、第１、第２ハウジング１０、６０が正規嵌合された状態では、ロックアーム６２の押圧部６９が突出部１７の先端部の上方に若干の隙間をあけて対向して配置される（図１を参照）。
【００３３】
続いて、メンテナンス等の事情により、第１、第２ハウジング１０、６０を互いに離脱させる際には、ロックアーム６２の操作部６８を上方から押圧して、ロックアーム６２を下方へ撓み変形させる。すると、ロック突部６７が被ロック部２２から抜け出てロックアーム６２のロック状態が解除されるとともに、ロックアーム６２の押圧部６９が突出部１７の先端部に上方から当接して、突出部１７が下方へ撓み変形させられる（図２を参照）。これにより、突出部１７の基端部に設けられたがた詰め部１８が受け部７４から離間するように下方へ変位させられる。したがって、がた詰め部１８と受け部７４の相互の当接面１９、７５が第１、第２ハウジング１０、６０の離脱方向で互いに当接し合う状態が解除される。その後、第１、第２ハウジング１０、６０を互いに引き離せば、がた詰め部１８と受け部７４とを干渉させることなく、第１、第２ハウジング１０、６０を互いに離脱させることが可能となる。
【００３４】
以上説明したように、本実施例によれば、第１、第２ハウジング１０、６０の正規嵌合時には、がた詰め部１８と受け部７４とが上下方向で互いに当接することにより、第１、第２ハウジング１０、６０間の上下方向の隙間を埋めることができ、第１、第２ハウジング１０、６０が上下方向にがたつくのを抑えることができる。一方、第１、第２ハウジング１０、６０の離脱時には、ロックアーム６２が被ロック部２２との係止を解除する方向（ロック解除方向）に撓み変形させられることにより、ロックアーム６２の押圧部６９が突出部１７を撓み変形させて、がた詰め部１８が受け部７４から離間する方向に変位可能となるため、がた詰め部１８と受け部７４との当接状態が解除され、嵌合状態にある第１、第２ハウジング１０、６０を容易に引き離すことができる。
【００３５】
とくに、本実施例の場合、突出部１７に、がた詰め機能と、第１、第２ハウジング１０、６０間の傾き嵌合を規制する機能とが集約して設けられているため、これら両機能が別々の部位に設けられるよりも、第１ハウジング１０の構成を簡素化することができる。
【００３６】
また、受け部７４がロックアーム６２の基端部に設けられているため、ロックアーム６２の撓み動作と受け部７４の変位動作とを連動させることができ、第１、第２ハウジング１０、６０の離脱作業をより円滑に行うことができる。
【００３７】
さらに、がた詰め部１８と受け部７４の相互の当接面１９、７５が第１、第２ハウジング１０、６０が離脱する際に互いに当接し合う方向に傾斜して配置されるため、第１、第２ハウジング１０、６０の嵌合状態を安定に保持することができる。
【００３８】
＜他の実施例＞
以下、他の実施例を簡単に説明する。
（１）第１、第２ハウジングの離脱時に、ロックアームの押圧部が突出部の先端部を押圧して撓み変形させることにより、がた詰め部と受け部とが互いに当接する状態を維持するものの、相互の当接面の当接状態（押し合う力）が緩和された状態となるものであってもよい。
（２）受け部は、ロックアームのアーム本体部のうち、支持部から離れた前後方向中央寄りの位置に設けられるものであってもよい。
（３）被ロック部は、ロックアームと係止可能であれば、孔形状ではなく突出形状であってもよい。
【符号の説明】
【００３９】
１０…第１ハウジング
１７…突出部
１８…がた詰め部
１９…がた詰め部の当接面
２２…被ロック部
６０…第２ハウジング
６２…ロックアーム
６９…押圧部
７１…挿入部
７４…受け部
７５…受け部の当接面
【図１】
2016085814.tif 000003
【図２】
2016085814.tif 000004
【図３】
2016085814.tif 000005
【図４】
2016085814.tif 000006
【図５】
2016085814.tif 000007
【図６】
2016085814.tif 000008